(57)【要約】      （修正有）【課題】刷毛による塗装工事を行なう場合、手軽、簡単、早い、汚れない、ゴミが出ない刷毛を提供する。【解決手段】こて刷毛、毛刷毛の一部分を塗装不可部分専用部分とし、斜めに取り付けたガード板と塗装不可部分専用部を使って塗装することにより不可部分に塗料が付着せず養生が不要となる。又こて刷毛の上部に塗料タンクを取付け塗装作業においての刷毛の動き、及び塗装液面の波状現象を考慮した最適の位置に塗料排出穴を設け、フォーム（スポンジ）へ塗料を最適に浸透させる。浸透したフオームに切り込みを入れその部分をシールする事により塗料が下部に集中せず必要な部分に必要なだけ浸透し簡単に早い塗装作業が可能となる。【選択図】    図１
2004298858.tif 000002
【特許請求の範囲】
【請求項１】
刷毛の一部分を、本来養生をしなければ施工出来ない部分の施工専用部分とし、その部分を斜めにする事、又その角度に合わせて刷毛を塗装部分に当てると言う使用方法で本来塗料が付着不可の部分に塗料が着かず、養生が不要となると言う構造を特徴とする刷毛。
【請求項２】
刷毛に塗料収納タンクを取付け、タンク内部の塗料が自然な重力、及び毛細管現象、使用時の人の刷毛にかける圧力、又施工時の刷毛の使用方向角度により自然現象のみにより最適に塗料がしみ出ると言う構造を特徴とする刷毛。
【請求項３】
塗料収納タンクと接する部分にフォーム（スポンジ）を使用しそのフォームに切り込みを入れ、その部分をシールする事で塗料が重力により下部部分に集中する事なく、又集中による漏れを防止すると言う構造を特徴とする刷毛。
【発明の詳細な説明】
【０００１】
【発明の属する技術分野】
本発明は塗装工事を行なう場合に使用する刷毛に関するものである。
【０００２】
【従来の技術】
刷毛による塗装工事を行なう場合は、塗料付着不可の部分にマスキングテープを張り、又床等には塗料が刷毛からこぼれ落ちて付着するのを防止するためマスカー又は新聞紙等を敷きつめて行なわれている。
【０００３】
刷毛に塗料を付着させ、それを塗装面に塗り付けると言う方法であるため、刷毛の塗料が枯渇するたびにたびたび刷毛に塗料を付着させると言う方法で行なわれている。
【０００４】
【発明が解決しようとする課題】
以上の従来の方法は、塗装工事を行なう場合のほとんどにおいて養生を必要としていると言う事。又この養生部分はかなりの部分を占め、又狭く難しい部分が存在し時間的ロスが大である。塗装工事終了後はそれらの養生は全て撤去してゴミとして捨てると言う事で、時間的費用、材料費用、廃棄費用がかると言う事である。
【０００５】
塗装工事は高所も多く、いっぱん的には片手に塗料缶、片手に刷毛を持ち、塗料を何度も繰り返して刷毛に含ませて塗装すると言う方法で行なわれている。そのため刷毛に大量に塗料を含ませると塗れる面積は増大するが、刷毛からこぼれ落ちた塗料が塗装不可の部分に付着すると言う危険を伴う。一部コンプレッサー等を使った圧送式の刷毛も市販されているが高価で専門的過ぎて一般的ではない方法である。今塗装に求められているのは、手軽に簡単に早くて汚れないと言う事が求められている。
【０００６】
本発明は以上の従来技術の難点を解消し、手軽、簡単、早い、汚れない、ゴミが出ないと言う要望に答えるための刷毛を提供するものである。
【０００７】
【課題を解決するための手段】
以上の従来技術で作られた刷毛の問題を解決するための手段としての刷毛は、刷毛の一部分を養生部分専用の使用部分とし、一般的使用部分と形状、使用方法を変えた構造を持つと言う事である。養生部分専用部は端部に塗装不可部分に塗料付着防止のためのガード板を設け、又直接塗装面に接する部分を斜めにしてその斜めの角度で塗装面を塗るとガード板も塗装不可面と線で接する事により塗料が塗装不可部分に付着せず又線で接する事により刷毛の動きがスムーズになるという方法で行なわれる。
【０００８】
塗料収納ボトルから排出された塗料はフォームに浸透する。そのままではすべての塗料が下部に集中するため、上部に設けられた横長の塗料出口から出た塗料はそのほとんどが上部のフォームに残留するようフォームに切り込みを入れ、その切り込み部分をシールする事により上部に残留する。又中間部、下部に設けられた塗料出口からフォームに浸透した塗料も同様な方法により中間部、下部に残留し、刷毛の全体に塗料が拡散しスムーズな塗装作業が可能となる。
【０００９】
実際の塗装作業においては、手で刷毛を持って作業するため、塗装面に刷毛を押しつける。この押しつけの圧力によりフォームから塗料がしみ出て塗装面に付着する。又塗装作業においての刷毛の動きは上下の動き、横の動き、斜めの動きの組み合わせである。又塗装面を移動する場合は刷毛が垂平状態になる。又作業中にはボトル内の塗料の液面は絶えず波状状態になる。それらをすべて組み合わせボトル内の液面が下がっても必要量の塗料が排出される。
【００１０】
【発明の実施の形態】
まず図１、Ａに示したこて刷毛での実施について説明する。この刷毛は主に平面部分の塗装に使用され、もっとも主な使用箇所は内部の平面壁（クロス等）である。図１、Ｂは塗料タンクの塗料がスムーズに出来るだけ均等にフォーム部分へ浸透するために空けられた穴であり一番上部（７）は横長の穴が開いており、その穴のすぐ下部に図２、Ａ、Ｂの（１０）で示す切り込みを入れシールされている。このようにすることにより（７）から出た塗料はこて刷毛が垂平の場合は主に上部に浸透し垂直の場合は大部分が上部に留まり、使用して液面が下がっても液面の使用中の液面波状現象により少しずつ上部に供給される。又こて刷毛は斜め、真横、下向き、垂平と絶えず方向を替え使用されるので上部のフォームに塗料が不足する事は無い。
【００１１】
図１、Ｂの（８）に示す穴は多くの塗料を供給しなければならない部分の穴である。そのため（７）の穴からも一部塗料が供給され、図２、Ａの（１１）の切り込みシールにより適度にフォームの中間部に塗料がとどまる事が出来る。
【００１２】
図１、Ｂの（９）に示す穴はもっとも多くの塗料を必要とする部分である。そのため（７）（８）の穴からも一部塗料が供給されるような構造である。しかし自然な重力により最下部には最も塗料が溜まりやすく、又塗装作業時にフォームにかかる圧力により余分に塗料が出る事により壁面への塗料のタレが起きる。これを防ぐため図２、Ａ、Ｂの（１２）で示すように斜めに切り込みシールを設ける事によりタレを防止している。
【００１３】
図２、Ｄは塗料付着不可部分への塗装時のこて刷毛の当て方の図である。このような使用角度により、ガード板に遮られ（１４）部分に塗料が付着しない。
【００１４】
図３、Ａ、Ｂは毛刷毛であり（１）のような斜めカード板を設けている。又毛は図３、Ｂのような形状をし図３、Ｃの様な使用方法により（１６）毛が図の様な形状に変形してガード板に遮られ（１４）に付着しないと言う構造である。
【００１５】
【発明の効果】
以上の説明のとおり本発明は刷毛による塗装工事における簡単、早い、汚れない、ゴミが出ないと言う大多数の要望を低価格で満たす事の出来る刷毛である。
【図面の簡単な説明】
【図１】本発明のコテ刷毛の全体図を示し（Ａ）はその斜視図であり（Ｂ）はこて刷毛の重要な構造の一部である塗料タンク、塗料排出穴、構造材の平面図である。
【図２】（Ａ）はこて刷毛の重要な構造の一部であるフォームの切り込みシール部分の上部平面図である。（Ｂ）はその側面図である。（Ｃ）はフォームの下部の斜視図である。（Ｄ）は塗装不可部分の実際のこて刷毛の使用例である。
【図３】（Ａ）は毛刷毛の正面図である。（Ｂ）はその側面図である。（Ｃ）は塗装不可部分の実際の毛刷毛の使用例である。
【符号の説明】
１、ガード板
２、フォーム（スポンジ）
３、塗料タンク
４、塗料注入口
５、柄
６、構造材
７、上部塗料排出穴
８、中間部塗料排出穴
９、下部塗料排出穴
１０、上部切り込みシール
１１、中間部切り込みシール
１２、下部切り込みシール
１３、塗装壁面
１４、塗装不可部分
１５、フォームの外周シール部分
１６、毛
【図１】
2004298858.tif 000003
【図２】
2004298858.tif 000004
【図３】
2004298858.tif 000005